(57)【特許請求の範囲】
【請求項１】
平板状のヨーク部と、前記ヨーク部の長手方向に交互に異極が現れるように配置した複数の永久磁石と、前記永久磁石に空隙を介して対向する複数の電機子鉄心に電機子コイルを巻回して形成した電機子部とを備えたリニアモータにおいて、
前記ヨーク部は長手方向が平板状のベース部に沿って伸びるように固定してあり、
前記永久磁石は前記ヨーク部の両側面に互いに背中合わせに固定し、
前記電機子部は前記ベース部に平行に設けたテーブルに固定し、
前記電機子部の電機子コイルの表面に近接して冷媒通路を設け、
かつ、前記電機子部は、一方の側面に凹部を反対側の側面に凸部を設けた電機子鉄心に巻回した電機子コイルからなる複数の単位電機子を形成し、一方の前記単位電機子の前記凹部と他方の前記単位電機子の前記凸部を係合させて、順次複数の単位電機子を一体に形成したことを特徴とするリニアモータ。
【請求項２】
平板状のヨーク部と、前記ヨーク部の長手方向に交互に異極が現れるように配置した複数の永久磁石と、前記永久磁石に空隙を介して対向する複数の電機子鉄心に電機子コイルを巻回して形成した電機子部とを備えたリニアモータにおいて、
前記ヨーク部は長手方向が平板状のベース部に沿って伸びるように固定してあり、
前記永久磁石は前記ヨーク部の両側面に互いに背中合わせに固定し、
前記電機子部は前記ベース部に平行に設けたテーブルに固定し、
前記電機子部の電機子コイルの表面に近接して冷媒通路を設け、
前記冷媒通路は、前記テーブルの前記電機子コイルに対向する面に設けた冷却用溝の中に冷媒導管を装着して形成したことを特徴とするリニアモータ。
【請求項３】
平板状のヨーク部と、前記ヨーク部の長手方向に交互に異極が現れるように配置した複数の永久磁石と、前記永久磁石に空隙を介して対向する複数の電機子鉄心に電機子コイルを巻回して形成した電機子部とを備えたリニアモータにおいて、
前記ヨーク部は長手方向が平板状のベース部に沿って伸びるように固定してあり、
前記永久磁石は前記ヨーク部の両側面に互いに背中合わせに固定し、
前記電機子部は前記ベース部に平行に設けたテーブルに固定し、
前記電機子部の電機子コイルの表面に近接して冷媒通路を設け、
前記冷媒通路は、前記冷却用溝の開口部をシール板で覆い、前記シール板と前記テーブルの間にＯリングを装着したことを特徴とするリニアモータ。
【請求項４】
前記冷媒通路は、前記電機子コイルのテーブル側と反対側の側面に接触させて設けた冷媒導管からなることを特徴とする請求項２または３に記載のリニアモータ。
【請求項５】
前記冷媒通路は、前記電機子鉄心の前記永久磁石と対向する面に固定した冷媒導管からなることを特徴とする請求項２から４までのいずれか１項に記載のリニアモータ。
【請求項６】
前記冷媒導管と前記電機子コイルとの間の空間に熱伝導性の高い樹脂を充填したことを特徴とする請求項３から５までのいずれか１項に記載のリニアモータ。
【発明の詳細な説明】
【０００１】
【発明の属する技術分野】
本発明は、工作機械のテーブルの駆動用等に用いられるリニアモータに関する。
【０００２】
【従来の技術】
従来、テーブルの駆動用等に用いられるリニアモータは、例えば図９に示すように構成されているものが開示されている（例えば、特開平５−４９２３０号公報）。
すなわち、固定部１０は、断面がＵ字形で所定の長さを有する磁性体からなるヨーク部２０と、ヨーク部２０の両方の脚部２１０、２２０の内側面２１０ａ，２２０ａに取り付けられて、界磁を構成する永久磁石３０と、ヨーク部２０の両脚部２１０、２２０の上面に長手方向に伸びるガイドレール４０とから構成されている。
可動部５０は、ガイドレール４０の上に長手方向に沿って移動し得るように軸受部５１０によって支持されたテーブル５２０と、テーブル５２０の下面に取り付けられ、ヨーク部２０の脚部２１０と２２０の間の空間に配置された磁性体からなる電機子固定部５３０と、電機子固定部５３０の側面に固定され、かつ両方の永久磁石３０に対して空隙を介して対向する電機子部６０によって構成されている。
【０００３】
【発明が解決しようとする課題】
ところが、上記従来技術では、電機子部６０が磁性体からなる電機子固定部５３０を介してテーブル５２０に取り付けられているため、電機子部６０で発生した熱がテーブル５２０に伝わり易く、半導体製造設備などの熱影響によるテーブルの位置決め精度の誤差が問題となる設備では使用が難しいという問題があった。
また、永久磁石３０と電機子部６０との間の空隙の磁気吸引力により、ヨーク部２０の脚部２１０、２２０が撓み、空隙の機械的精度が低下し、磁気的特性が変化するという問題があった。
本発明は、電機子部からテーブルに伝達する熱を少なくし、かつヨーク部の変形を防いで、高精度のリニアモータを提供することを目的とする。
【０００４】
【課題を解決するための手段】
上記課題を解決するため、本発明は、平板状のヨーク部と、前記ヨーク部の長手方向に交互に異極が現れるように配置した複数の永久磁石と、前記永久磁石に空隙を介して対向する複数の電機子鉄心に電機子コイルを巻回して形成した電機子部とを備えたリニアモータにおいて、前記ヨーク部は長手方向が平板状のベース部に沿って伸びるように固定してあり、前記永久磁石は前記ヨーク部の両側面に互いに背中合わせに固定し、前記電機子部は前記ベース部に平行に設けたテーブルに固定し、前記電機子部の電機子コイルの表面に近接して冷媒通路を設けたものである。
また、前記電機子部は、一方の側面に凹部を反対側の側面に凸部を設けた電機子鉄心に巻回した電機子コイルからなる複数の単位電機子を形成し、一方の前記単位電機子の前記凹部と他方の前記単位電機子の前記凸部を係合させて、順次複数の単位電機子を一体に形成したものである。
また、前記冷媒通路は、前記テーブルの前記電機子コイルに対向する面に設けた冷却用溝の中に冷媒導管を装着して形成したものである。
また、前記冷媒通路は、前記冷却用溝の開口部をシール板で覆い、前記シール板と前記テーブルの間にＯリングを装着したものである。
また、前記冷媒通路は、前記電機子コイルのテーブル側と反対側に接触させて設けた冷媒導管からなるものである。
また、前記冷媒通路は、前記電機子鉄心の前記永久磁石と対向する面に固定した冷媒導管からなるものである。
また、前記冷媒導管と前記電機子コイルとの間の空間に熱伝導性の高い樹脂を充填したものである。
【０００５】
【発明の実施の形態】
以下、本発明の第１の実施例を図に基づいて説明する。
図１は本発明の第１の実施例を示す正断面図、図２はＡ−Ａ断面に沿う平断面図、図３はＢ−Ｂ断面に沿う側断面図、図４は外観平面図である。
図において、１は固定部で、平面状のベース部１１とベース部１１に垂直に設けられ、ベース部１１に沿って伸びる棒状の磁性体のヨーク部２とからなり、断面が逆Ｔ字形に形成されている。３（３ａ，３ｂ）は永久磁石で、ヨーク部２の反対側の両側面２１ａ，２１ｂに背中合わせに複数個、長手方向に所定の間隔を開けてそれぞれ取り付けられて、界磁を構成している。４はヨーク部２の長手方向に沿って伸びるガイドレールで、ヨーク部２の両側のベース部１１の上面に設けられている。
５は可動部、５１は平面状のテーブル、６はテーブル５１の下面に取り付けられた電機子部、６１（６１ａ，６１ｂ）はＴ字状の薄板鋼板を積層して形成した電機子鉄心で、両側に突出した部分の先端の一方側に凹部６１１を、他方側に凸部６１２を形成してある。６２（６２ａ，６２ｂ）は３相交流（Ｕ相、Ｖ相、Ｗ相）の各相毎に複数個設けられた電機子コイルで、各電機子コイル毎にボビン６２１に巻回され、それぞれ電機子鉄心６１ａ，６１ｂにボビン６２１と共に装着して単位電機子６Ｘを形成してある。テーブル５１の電機子コイル６２に対向する面にはヨーク部２の長手方向に沿って伸びる冷却用溝５２を設けてある。
【０００６】
各単位電機子６Ｘは互いに凹部６１１と凸部６１２とを係合させてダブテール結合させ、複数磁極が一体になるように電機子部６を形成してあり、永久磁石３ａ，３ｂに対してそれぞれ空隙を介して対向させてある。各電機子コイル６２は樹脂モールド６３により一体に形成してある。
なお、界磁磁極数をＰ、電機子極数をＮ、総数をｍとしたとき、
ｑ＝Ｎ／ｍ・Ｐ  ＝１／２，３／８，１／４，１／５  のいずれかになるように、永久磁石３ａ，３ｂと電機子６の構成を決めてある。
５３は複数の単位電機子６Ｘを一体に形成した電機子部６の両端に設けたフランジである。
７は電機子鉄心６１の下面に取り付けられた軸受部で、ガイドレール４上に可動部５を長手方向に沿って移動し得るように支持してあり、ボルト５４によって電機子鉄心６１と共にテーブル５１に固定されている。
８ａ，８ｂは冷却用溝５２の中に装着した冷媒を通す２本の冷媒導管で、冷媒通路８を形成し、電機子コイル６２の上側表面に接近して設けられ、それぞれ両端をフランジ５３に取り付けてある。冷媒導管８ａ，８ｂの両端には、フランジ５３に設けた供給口５３１ａ、５３１ｂ，排出口５３２ａ，５３２ｂに連通する開口部８１を設けてある。
８２は、図４に示すように、冷媒導管８ａの排出口５３２ａと冷媒導管８ｂの供給口５３１ｂとを連絡する連結導管である。
【０００７】
このような構成により、冷媒を供給口５３１ａから供給すると、冷媒導管８ａを通り、電機子コイル６２ａの表面から熱を奪い、排出口５３２ａから連結導管８２を通り冷媒導管８ｂに入る。冷媒導管８ｂでは電機子コイル６２ｂの熱を奪い、排出口５３２ｂから外部に排出される。
したがって、電機子コイル６２は効果的に冷却され、電機子部６で発生した熱がテーブル５１に伝わらずに外部に排出されるので、半導体製造設備などの熱影響によるテーブルの位置決め精度の誤差が少なくなる。
また、永久磁石３がヨーク部２の反対側の両側面２１ａ，２１ｂに取り付けられているので、ヨーク部２に作用する電機子部６と界磁を構成する永久磁石３との間の吸引力は相殺される。したがって、ヨーク部２の変形は少なくなり、空隙の機械的精度が向上し、磁気的特性が安定する。
また、電機子部６は、単位電機子６Ｘ毎に各電機子コイル６２を各電機子鉄心６１に整列巻きすることによって形成してあるので、電機子コイル６２の占積率を高めることができる。
【０００８】
次に、本発明の第２の実施例について説明する。
図５は本発明の第２の実施例を示す正断面図である。
この場合、テーブル５１に設けた冷媒通路８は、上記第１の実施例で用いた冷媒導管８ａ，８ｂの代わりに、テーブル５１に設けた冷却用溝５２の開口部を塞ぐシール板５５を設けて冷却用溝５２とシール板５５により冷媒を通すジャケット８３（８３ａ，８３ｂ）を形成したものである。８４は冷却用溝５２の両側に設けたＯリングで、シール板５５とテーブル５１との間から冷媒が漏れないようにしてある。
これにより、冷媒の通路の形成が容易となる。
【０００９】
次に、本発明の第３の実施例について説明する。
図６は本発明の第３の実施例を示す正断面図である。
この場合、上記第１の実施例に、電機子コイル６２ａ，６２ｂの下面に接触させて冷媒導管８５（８５ａ，８５ｂ）設け、その両端をフランジ５３に固定したもので、冷媒導管８５は冷媒導管８と連通するようにしてある。
冷媒導管８５と電機子コイル６２ａ，６２ｂとの間に生じる隙間に熱伝導性の高い樹脂を充填し、電機子コイル６２ａ，６２ｂと冷媒導管８５との熱伝導度が高くなるようにしてある。
これにより、電機子コイル６２は両面から冷却されるので、電機子コイル６２はさらに効果的に冷却され、半導体製造設備などの熱影響によるテーブルの位置決め精度の誤差が少なくなる。
【００１０】
次に、本発明の第４の実施例について説明する。
図７は本発明の第４の実施例を示す正断面図である。
この場合、上記第１の実施例の電機子鉄心６１ａ，６１ｂの永久磁石３ａ，３ｂに対向する面に冷媒導管８６ａ，８６ｂを設けると共に、その両端をフランジ５３に固定し、かつ冷媒導管８ａ、８ｂと連通するようにしたものである。
これにより、電機子部６から永久磁石３を通ってテーブル５１に伝わる熱が少なくなり、更に熱影響によるテーブルの位置決め精度の誤差が少なくなる。
【００１１】
次に、本発明の第５の実施例について説明する。
図８は本発明の第５の実施例を示す正断面図である。
この場合、上記第３の実施例の電機子鉄心６１と永久磁石３との間に、冷媒導管８６を設けて、電機子鉄心６１に固定すると共に、その両端をフランジ５３に固定し、かつ冷媒導管８、８５と連通するようにしたものである。
これにより、電機子部６から永久磁石３を通ってテーブル５１に伝わる熱が極めて少なくなり、更に熱影響によるテーブルの位置決め精度の誤差が極めて少なくなる。
【００１２】
【発明の効果】
以上述べたように、本発明によれば、電機子コイルの周囲に冷媒導管を配置して、電機子コイルから発生する熱を直接冷却するようにしてあるので、電機子コイルは効果的に冷却され、電機子部で発生した熱がテーブルに伝わらずに外部に排出される。
また、永久磁石がヨーク部の両側面に取り付けられているので、ヨーク部に作用する電機子部と界磁を構成する永久磁石との間の吸引力は相殺される。
また、電機子部は、単位電機子毎に各電機子コイルを各電機子鉄心に整列巻きしてあるので、電機子コイルの占積率を高め、相対的に銅損を低減することができる。
したがって、電機子部からテーブルに伝達される熱が減少し、熱影響によるテーブルの位置決め精度の誤差が少なくなるとともに、ヨーク部の変形は少なくなり、空隙の機械的精度が向上し、安定した磁気的特性を備えた高精度のリニアモータを提供できる効果がある。
【図面の簡単な説明】
【図１】  本発明の第１の実施例を示す正断面図である。
【図２】  本発明の第１の実施例を示す平断面図である。
【図３】  本発明の第１の実施例を示す側断面図である。
【図４】  本発明の第１の実施例を示す平面図である。
【図５】  本発明の第２の実施例を示す正断面図である。
【図６】  本発明の第３の実施例を示す正断面図である。
【図７】  本発明の第４の実施例を示す正断面図である。
【図８】  本発明の第５の実施例を示す正断面図である。
【図９】  従来例を示す正断面図である。
【符号の説明】
１：固定部、１１：ベース部、２：ヨーク部、２１ａ，２１ｂ：側面、３、３ａ，３ｂ：永久磁石、４：ガイドレール、５：可動部、５１：テーブル、５２：冷却用溝、５３：フランジ、５３１ａ、５３１ｂ：供給口、５３２ａ，５３２ｂ：排出口、５４：ボルト、５５：シール板、６：電機子部、６Ｘ：単位電機子、６１、６１ａ，６１ｂ：電機子鉄心、６１１：凹部、６１２：凸部、６２，６２ａ，６２ｂ：電機子コイル、６２１：ボビン、６３：樹脂モールド、７：軸受部、８：冷媒通路、８ａ，８ｂ、８５ａ，８５ｂ，８６ａ，８６ｂ：冷媒導管、８１：開口部、８２：連結導管、８３：ジャケット、８４：Ｏリング
【図１】
0003856057.tif 000002
【図２】
0003856057.tif 000003
【図３】
0003856057.tif 000004
【図４】
0003856057.tif 000005
【図５】
0003856057.tif 000006
【図６】
0003856057.tif 000007
【図７】
0003856057.tif 000008
【図８】
0003856057.tif 000009
【図９】
0003856057.tif 000010